(57)【特許請求の範囲】
【請求項１】
インターネットプロトコル網に結合され、且つ、前記インターネットプロトコル網から受信したパケットを前記パケットの送信先アドレスが示す転送先に転送するインターネット網インタフェースと、
電話交換網に結合され、且つ、前記電話交換網にデータストリームを送信する回線インタフェースと、
前記インターネット網インタフェースから転送された前記パケットの第４レイヤを解析し、且つ、前記解析の結果に従って前記パケットを転送するレイヤスイッチと、
前記レイヤスイッチから転送された前記パケットを前記電話網に転送すべきデータに変換する複数のデータ変換装置と、
前記レイヤスイッチから転送された前記パケットに基づいて制御パケットの生成又は解析を実行する少なくとも１つのプロセッサと、
前記複数のデータ変換装置から受信した前記データを多重化して前記データストリームを生成し、且つ、前記データストリームを前記回線インタフェースに転送する多重化部とを備え、
前記回線インタフェースは、前記電話網から前記データストリームを受信し、且つ、受信した前記データストリームを前記多重化部に転送する機能を有し、
前記多重化部は、転送された前記データストリームから前記データを生成し、且つ、生成した前記データを前記複数のデータ変換装置または前記プロセッサに転送する機能を有し、
前記複数のデータ変換装置及び前記プロセッサは、転送された前記データに基づいて前記パケットを生成し、且つ、生成した前記パケットを前記レイヤスイッチに転送し、
前記レイヤスイッチは、転送された前記パケットを前記インターネット網インタフェースに転送する機能を有し、
前記インターネット網インタフェースは、転送された前記パケットを前記インターネットプロトコル網に送信する機能を有する
通信網接続装置。
【請求項２】
請求項１に記載の通信網接続装置において、
前記レイヤスイッチは、前記パケットに設定されたＵＤＰ（ユーザデータグラムプロトコル）ヘッダとＲＴＰ（リアルトランスポートプロトコル）ヘッダを参照して前記解析を実行する通信網接続装置。
【請求項３】
請求項１または２に記載の通信網接続装置において、
前記データは、画像データ、又は音声データ、又はファックスデータ、又はモデムデータからなる通信網接続装置。
【請求項４】
請求項３に記載の通信網接続装置において、
前記音声データは、ITU-T規格に準拠する通信網接続装置。
【請求項５】
請求項３に記載の通信網接続装置において、
前記音声データと前記パケットの相互変換は、ITU-T規格に準拠する符号化又は復号化に基づいて実行される通信網接続装置。
【請求項６】
請求項１乃至５の何れか一項に記載の通信網接続装置において、
受信したパケットのジッタ補正を実行する揺らぎ処理器を備える通信網接続装置。
【請求項７】
請求項１乃至６の何れか一項に記載の通信網接続装置と、
電話交換網と、
インターネットプロトコル網と、
第７共通線信号（SS7：Signaling system No.7）と、
前記通信網接続装置との間で、MGCP（メディア・ゲートウェイ・コントロール・プロトコル）に基づいた通信を実行するコール・エージェント（CA:Call Agent）を備えるネットワークシステム。
【請求項８】
インターネットプロトコル網から受け入れたパケットの第４レイヤを前記パケットに設定されるＵＤＰ（ユーザデータグラムプロトコル）ヘッダとＲＴＰ（リアルトランスポートプロトコル）ヘッダを参照して解析し、
前記解析の結果に基づいて、前記第４レイヤが解析された前記パケットを複数のデータ変換装置の何れかのデータ変換装置またはプロセッサに転送し、
前記複数のデータ変換装置において、前記第４レイヤが解析された前記パケットを電話交換網に転送すべきデータに変換し、
前記プロセッサにおいて、制御パケットの生成又は解析を実行する通信網接続方法。
【発明の詳細な説明】
【０００１】
【発明の属する技術分野】
本発明は、電話交換網とインターネットプロトコル（ＩＰ：Ｉｎｔｅｒｎｅｔ  Ｐｒｏｔｏｃｏｌ）網を結合し、且つ、電話交換網に対応するデータとＩＰ網に対応するパケットの相互変換を実行する通信網接続装置に関する。
【０００２】
【従来の技術】
通話、ファックス通信、そしてデータ通信には、電話交換網が使用される。複数の電話交換網をＩＰ網を介して結合するネットワークが稼動している。このようなネットワークは、ＶｏＩＰ（Ｖｏｉｃｅ  ｏｖｅｒ  ＩＰ）ネットワークと呼ばれる。
【０００３】
図５は、ＶｏＩＰネットワークの構成を示す。図に示されたネットワーク１００は、インターネットプロトコル網（ＩＰ  Ｃｏｒｅ  Ｎｅｔｗｏｒｋ）１０１と、第７共通信号ゲートウェイ（ＳＳ７ＳＧ：ＳＳ７  Ｓｉｇｎａｌｉｎｇ  Ｇａｔｅｗａｙ）１０２と、コールエージェント（ＣＡ：Ｃａｌｌ  Ａｇｅｎｔ）１０３と、第１サービス交換機（ＳＳＰ１：Ｓｅｒｖｉｃｅ  Ｓｗｉｔｃｈｉｎｇ  Ｐｏｉｎｔ）１０４と、通信網接続装置（ＶｏＩＰ  ＧＷ：Ｖｏｉｃｅ  ｏｖｅｒ  ＩＰ  Ｇｅｔｅｗａｙ）１０５，１０６と、第２サービス交換機（ＳＳＰ２：Ｓｅｒｖｉｃｅ  Ｓｗｉｔｃｈｉｎｇ  Ｐｏｉｎｔ）１０７を備える。
【０００４】
ＳＳ７ＳＧ１０２は、第１及び第２サービス交換機１０４，１０７と、ＳＳ７信号の送受信を実行する。コールエージェント１０３は、通信網接続装置１０５，１０６と、メディア・ゲートウェイ・コントロール・プロトコル（ＭＧＣＰ：Ｍｅｄｉａ  ｇａｔｅｗａｙ  ｃｏｎｔｒｏｌ  ｐｒｏｔｃｏｌ）に従って通信を実行する。第１サービス交換機１０４は、ベアラチャネル（Ｂｅａｒｅｒ  Ｃｈａｎｎｅｌ）を介して通信網接続装置１０５との通信を実行する。第２サービス交換機１０７は、ベアラチャネル（Ｂｅａｒｅｒ  Ｃｈａｎｎｅｌ）を介して通信網接続装置１０６との通信を実行する。通信網接続装置１０５は、第１サービス交換機１０４とインターネットプロトコル網１０１を結合する。通信網接続装置１０６は、第２サービス交換機１０７とインターネットプロトコル網１０１を結合する。
【０００５】
図６は、従来の通信網接続装置の構成を示す。図に示された通信網接続装置２００は、図５に示された通信網接続装置１０５，１０６に該当する装置である。通信網接続装置２００は、音声パケット処理部２０１と、回線インタフェース２０２と、インターネットプロトコル（ＩＰ）網インタフェース２０３を備える。音声パケット処理部２０１は、第１〜３データ変換装置（ＤＳＰ）２１１〜２１３と、多重化部２１４と、プロセッサ（ＣＰＵ）２１５を備える。
【０００６】
回線インタフェース２０２は、多重化部２１４に接続する。多重化部２１４は、第１〜３データ変換装置２１１〜２１３に接続する。第１〜３データ変換装置２１１〜２１３は、プロセッサ２１５に接続する。プロセッサ２１５は、ＩＰ網インタフェース２０３に接続する。回線インタフェース２０２は、ベアラチャネルを介してサービス交換機（図５：１０４，１０７）に接続する。ＩＰ網インタフェース２０３は、インターネットプロトコル網（図５：１０１）に接続する。
【０００７】
回線インタフェース２０２は、サービス交換機（図５：１０４，１０７）から送信されたデータストリームを多重化部２１４に転送する。回線インタフェース２０２は、多重化部２１４から出力されるデータストリームをサービス交換機（図５：１０４，１０７）に転送する。データストリームは、複数のデータからなる。
【０００８】
多重化部２１４は、回線インタフェース２０２から転送されたデータストリームから個々のデータを分離する。分離されたデータは、第１〜３データ変換装置２１１〜２１３に振り分けられる。その振り分け処理は、データの発信元情報に従って実行される。多重化部２１４は、第１〜３データ変換装置２１１〜２１３から出力されるデータを多重化して、データストリームを生成する。
【０００９】
第１〜３データ変換装置２１１〜２１３は、データとパケットの相互変換を実行する。第１〜３データ変換装置２１１〜２１３は、回線インタフェース２０２が収容する回線数（処理能力）に応じて配置数が決定される。第１〜３データ変換装置２１１〜２１３は、多重化部２１４から出力されるデータをパケットに変換し、そしてプロセッサ２１５に送信する。そのデータは、音声信号を表す音声データ、画像信号を表す画像データ、ファックス信号を表すファックスデータ、モデム信号を表すモデムデータ、そして制御信号を表す制御データからなる。第１〜３データ変換装置２１１〜２１３は、音声データ又は画像データの符号化／復号化、そしてファックスデータ又はモデムデータのパケット変換処理を実行する。
【００１０】
プロセッサ２１５は、第１〜３データ変換装置２１１〜２１３が生成したパケットからパケットストリームを生成する。プロセッサ２１５は、生成したパケットストリームをＩＰ網インタフェース２０３に送信する。ＩＰ網インタフェース２０３は、プロセッサ２１５から受信したパケットをインターネットプロトコルネットワークに送信する。ＩＰ網インタフェース２０３は、送受信するパケットのプロトコル処理を実行する。
【００１１】
ＩＰ網インタフェース２０３は、インターネットプロトコルネットワークから受信したパケットをプロセッサ２１５に転送する。プロセッサ２１５は、ＩＰ網インタフェース２０３から転送されたパケットの内容を解析する。プロセッサ２１５は、受け入れたパケットの第４レイヤに関するプロトコル処理を実行する。プロセッサ２１５は、レイヤ処理を実行後、パケットの内容を解析する。プロセッサ２１５は、制御パケットを検出した場合、その制御パケットの内容に応じた制御処理を実行する。プロセッサ２１５は、データパケットを検出した場合、そのデータパケットを第１〜３データ変換装置２１１〜２１３に振り分ける。
【００１２】
第１〜３データ変換装置２１１〜２１３は、受け入れたパケット（データパケット）から、例えば音声データを生成する。第１〜３データ変換装置２１１〜２１３は、音声データを多重化部２１４に転送する。
【００１３】
多重化部２１４は、第１〜３データ変換装置２１１〜２１３から出力される音声データに基づいてデータストリームを生成する。多重化部２１４は、データストリームを回線インタフェース２０２に向けて出力する。回線インタフェース部２０２は、電話交換網にデータストリームを送信する。
【００１４】
【発明が解決しようとする課題】
通信網接続装置は、ＩＰ網を介して連続的に入力されるパケットの信号処理を実行する。信号処理の対象となるパケットは、制御パケットとデータパケットからなる。通信網接続装置のプロセッサ２１５の信号処理能力が低いと、制御パケットの処理を実行する分、データパケットから、例えば音声データへ変換する処理が滞る。即ち、プロセッサ２１５の信号処理能力が低いと，通信網接続装置の十分なスループットが得られない。そのスループットが低いと、パケットを音声データに変換する処理が滞り、パケット廃棄が実行される。パケット破棄が実行されると、サービス品質（例えば、再生音声の品質）が低下する。品質の高いサービスを提供するためには、高速動作可能なプロセッサを備えた通信網接続装置が必要であった。
【００１５】
しかしながら、ソフトウェア制御されたプロセッサ２１５の処理速度には限界があり、高速処理が要求される高速データからなる音声パケットや動画パケットを取り扱う際、問題が生じていた。即ち、高速データからなるパケットをプロセッサ２１５が処理する際、処理が滞り、パケット廃棄が発生していた。
【００１６】
電話交換網とＩＰ網を接続する通信網接続装置に係る技術は、特開平１０−２１００８０号公報、特開平１１−２２０５４９号公報、そして特開平１１−２７５０７０号公報に開示されている。しかしながら、これら公報には、通信網接続装置のスループット向上に係る技術は開示されていない。
【００１７】
【課題を解決するための手段】
本発明は、高速処理が要求されるデータに対するスループットを十分確保することができる通信網接続装置を提供する。
【００１８】
その課題を解決するための手段が、下記のように表現される。その表現中に現れる技術的事項には、括弧（）付きで、番号、記号等が添記されている。その番号、記号等は、本発明の実施の複数の形態又は複数の実施例のうちの少なくとも１つの実施の形態又は複数の実施例を構成する技術的事項、特に、その実施の形態又は実施例に対応する図面に表現されている技術的事項に付せられている参照番号、参照記号等に一致している。このような参照番号、参照記号は、請求項記載の技術的事項と実施の形態又は実施例の技術的事項との対応・橋渡しを明確にしている。このような対応・橋渡しは、請求項記載の技術的事項が実施の形態又は実施例の技術的事項に限定されて解釈されることを意味しない。
【００１９】
本発明による通信網接続装置は、インターネットプロトコル網に結合され、且つ、インターネットプロトコル網から受信したパケットをパケットの送信先アドレスが示す転送先に転送するインターネット網インタフェース（４）と、電話交換網に結合され、且つ、電話交換網にデータストリームを送信する回線インタフェース（３）と、インターネット網インタフェースから転送されたパケットの第４レイヤを解析し、且つ、解析の結果に従ってパケットを転送するレイヤ４スイッチ（１６）と、レイヤ４スイッチ（１６）から転送されたパケットを電話網に転送すべきデータに変換する複数のデータ変換装置（１１〜１３）と、レイヤスイッチ（１６）から転送されたパケットに基づいて制御パケットの生成又は解析を実行する少なくとも1つのプロセッサ（１４）と、複数のデータ変換装置（１１〜１３）から受信したデータを多重化してデータストリームを生成し、且つ、データストリームを回線インタフェースに転送する多重化部（１５）を備える。
【００２０】
複数のデータ変換装置は、レイヤ解析が完了したパケットを受け入れる。複数のデータ変換装置は、レイヤ解析以外の所定の信号処理を実行する。レイヤ解析の実行と信号処理の実行が分離されたため、制御パケットの処理に伴ないデータパケットの処理が滞る事態が回避される。
【００２１】
本発明による通信網接続装置は、回線インタフェース（３）が、電話網からデータストリームを受信し、且つ、受信した前記データストリームを多重化部（１５）に転送する機能を有し、多重化部（１５）は、転送されたデータストリームからデータを生成し、且つ、生成したデータを複数のデータ変換装置（１１〜１３）に転送する機能を有し、複数のデータ変換装置（１１〜１３）は、転送されたデータに基づいてパケットを生成し、且つ、生成したパケットをレイヤ４スイッチ（１６）に転送し、レイヤ４スイッチ（１６）は、転送されたパケットをインターネットプロトコル網インタフェース（４）に転送する機能を有し、インターネットプロトコル網インタフェース（４）は、転送されたパケットをインターネットプロトコル網（101）に送信する機能を有する。
【００２２】
本発明による通信網接続装置は、複数のデータ変換装置（１１〜１３）と、制御パケットの生成又は解析を実行するプロセッサ（１４）を備える。
【００２３】
本発明による更なる通信網接続装置は、レイヤ４スイッチ（１６）が、パケットに設定されたＵＤＰ（ユーザデータグラムプロトコル）ヘッダとＲＴＰ（リアルトランスポートプロトコル）ヘッダを参照してパケットの解析を実行する。
【００２４】
本発明による更なる通信網接続装置は、データが、画像データ、又は音声データ、又はファックスデータ、又はモデムデータからなる。
【００２５】
本発明による更なる通信網接続装置は、音声データが、ＩＴＵ−Ｔ規格に準拠する。その音声データは、例えばＩＴＵ−Ｔ規格のＧ．７１１準拠で表される。
【００２６】
本発明による更なる通信網接続装置は、音声データとパケットの相互変換が、ＩＴＵ−Ｔ規格に準拠する符号化又は復号化に基づいて実行される。その相互変換は、例えばＩＴＵ−Ｔ規格のＧ．７２３．１準拠又はＧ．７２９準拠で実行される。
【００２７】
本発明による更なる通信網接続装置は、受信したパケットのジッタ補正を実行する揺らぎ処理器を備える通信網接続装置。
【００２８】
本発明によるネットワークシステムは、上記通信網接続装置と、電話交換網と、インターネットプロトコル網と、第７共通線信号（ＳＳ７：Ｓｉｇｎａｌｉｎｇ  ｓｙｓｔｅｍ  Ｎｏ．７）と、通信網接続装置との間で、ＭＧＣＰ（メディア・ゲートウェイ・コントロール・プロトコル）に基づいた通信を実行するコール・エージェント（ＣＡ：Ｃａｌｌ  Ａｇｅｎｔ）を備える。
【００２９】
本発明による通信網接続方法は、インターネットプロトコル網から受け入れたパケットの第４レイヤを解析し、その解析の結果に基づいて、第４レイヤが解析されたパケットを複数のデータ変換装置（１１〜１３）の何れかのデータ変換装置またはプロセッサ（１４）に転送し、複数のデータ変換装置（１１〜１３）またはプロセッサ（１４）において、第４レイヤが解析されたパケットを電話交換網に転送すべきデータに変換する。
【００３０】
【発明の実施の形態】
図１は、本発明による通信網接続装置の構成を示す。図に示された通信網接続装置１は、音声パケット処理部２と、回線インタフェース３と、インターネットプロトコル（ＩＰ）網インタフェース部４を備える。音声パケット処理部２は、第１〜３デジタル信号処理部５〜７を備える。
【００３１】
回線インタフェース３は、ベアラチャネル及びサービス交換機（図５：１０４又は１０７）からなる電話交換網に接続する。回線インタフェース３は、第１〜３デジタル信号処理部５〜７に接続する。第１〜３デジタル信号処理部５〜７は、ＩＰ網インタフェース４に接続する。ＩＰ網インタフェース４は、インターネットプロトコル網（図５：１０１）に接続する。
【００３２】
回線インタフェース３は、ベアラチャネル及びサービス交換機（図５：１０４又は１０７）からなる電話交換網から受信したデータストリームを第１〜３デジタル信号処理部５〜７に転送する。回線インタフェース３は、第１〜３デジタル信号処理部５〜７から転送されたデータストリームを電話交換網に送信する。
【００３３】
ＩＰ網インタフェース４は、第１〜第３デジタル信号処理部５〜７から受信したパケットをインターネットプロトコルネットワークに送信する。ＩＰ網インタフェース４は、インターネットプロトコルネットワークから受信したパケットストリームを第１〜３デジタル信号処理部５〜７に転送する。ＩＰ網インタフェース４は、送受信するパケットのプロトコル処理を実行する。
【００３４】
第１〜３デジタル信号処理部５〜７の数は、例えば、通信網接続装置１が収容するサービス交換機の処理量に合わせて設定される。従って、デジタル信号処理部の数は３に限定されない。
【００３５】
図２は、本発明によるデジタル信号処理部の構成を示す。図に示されたデジタル信号処理部５は、第１〜３データ変換装置（ＤＳＰ）１１〜１３と、プロセッサ（ＣＰＵ）１４と、多重化部１５と、レイヤ４スイッチ１６を備える。
【００３６】
多重化部１５は、回線インタフェース（図１：３）に接続する。多重化部１５は、第１〜３データ変換装置１１〜１３及びプロセッサ１４に接続する。第１〜３データ変換装置１１〜１３及びプロセッサ１４は、レイヤ４スイッチ１６に接続する。レイヤ４スイッチ１６は、ＩＰ網インタフェース（図１：４）に接続する。
【００３７】
多重化部１５は、回線インタフェース３から転送されたデータストリームからデータを分離する。分離されたデータは、第１〜３データ変換装置１１〜１３及びプロセッサ１４に振り分けられる。その振り分け処理は、データの発信元情報及び内容に従って実行される。そのデータは、第１〜３データ変換装置１１〜１３により処理可能な内容を示す場合、発信元に対応する何れかのデータ変換装置１１〜１３に転送される。そのデータは、制御情報を示す場合、プロセッサ１４に転送される。多重化部１５は、第１〜３データ変換装置１１〜１３及びプロセッサ１４から出力されるデータ（例えば音声データ及び制御データ）を多重化して、データストリームを生成する。そのデータストリームは、多重化部１５から回線インタフェース３に向けて出力される。回線インタフェース部３は、ベアラチャネル及びサービス交換機からなる電話交換網にデータストリームを送信する。
【００３８】
第１〜３データ変換装置１１〜１３及びプロセッサ１４は、データとパケットの相互変換を実行する。第１〜３データ変換装置１１〜１３は、音声信号、画像信号、ファックス信号、そしてモデム信号に関するデータの処理を実行する。プロセッサ１４は、制御信号に関するデータの処理を実行する。
【００３９】
レイヤ４スイッチ１６は、ＯＳＩモデルの７層構造プロトコルのレイヤ４に係るプロトコル処理を実行する。レイヤ４スイッチ１６は、ＩＰ網インタフェース４からパケットを受け入れた場合、レイヤ４の解析を実行する。レイヤ４スイッチ１６は、解析結果に基づいて、解析されたパケットを第１〜３データ変換装置１１〜１３及びプロセッサ１４に転送する。第１〜３データ変換装置１１〜１３には、音声データ、画像データ、ファックスデータ、そしてモデムデータに関するパケットが転送される。プロセッサ１４には、制御データに関するパケットが転送される。
【００４０】
第１〜３データ変換装置１１〜１３及びプロセッサ１４は、受け入れたパケットの内容に応じた処理を実行する。第１〜３データ変換装置１１〜１３及びプロセッサ１４は、パケットに対する処理結果を多重化部１５に出力する。多重化部１５は、受け入れた処理結果を多重化して回線インタフェース３に向けて出力する。
【００４１】
ここで、図３を参照してレイヤ４スイッチ１６の詳細な動作を説明する。図３は、本発明に係るフローチャートを示す。
【００４２】
レイヤ４スイッチ１６にパケットが着信すると（Ｓ１）、レイヤ４スイッチ１６は、そのパケットの第４レイヤの解析を実行する。レイヤ４スイッチ１６は、そのパケットの発信元アドレスがＣａｌｌ  Ａｇｅｎｔのアドレスを示すか否か判断する（Ｓ２）。発信元アドレスがＣａｌｌ  Ａｇｅｎｔのアドレスを示す場合、そのパケットはＭＧＣＰ（Ｍｅｄｉａ  Ｇａｔｅｗａｙ  Ｃｏｎｔｒｏｌ  Ｐｒｏｔｏｃｏｌ）に対応する。そのパケットは、ＭＧＣＰを終端するプロセッサ１４に転送される（Ｓ５）。発信元アドレスがＣａｌｌ  Ａｇｅｎｔのアドレスを示さない場合、レイヤ４スイッチ１６は、プロトコルタイプコードが０ｘ１１（ＵＤＰ）を示すか否か判断する（Ｓ３）。プロトコルタイプコードがＵＤＰを示さない場合、そのパケットは、例えばＴＣＰ（Ｔｒａｎｓｍｉｓｓｉｏｎ  Ｃｏｎｔｒｏｌ  Ｐｒｏｔｏｃｏｌ）パケット又はＩＣＭＰ（Ｉｎｔｅｒｎｅｔ  Ｃｏｎｔｒｏｌ  Ｍｅｓｓａｇｅ  Ｐｒｏｔｏｃｏｌ）パケットを示すため、プロセッサ１４に転送される（Ｓ５）。パケットのプロトコルタイプコードがＵＤＰを示す場合、レイヤ４スイッチ１６は、ＴＣＰセグメントヘッダ内の宛先ポート番号を解析する（Ｓ４）。宛先ポート番号が、現在、呼接続中のＲＴＰポートを示す場合、レイヤ４スイッチ１６は、パケットを第１〜３データ変換装置１１〜１３の何れかに転送する（Ｓ６）。宛先ポート番号がＲＴＰポート番号以外を示す場合、そのパケットは、例えばＲＴＣＰ（Ｒｅａｌ  Ｔｒａｎｓｐｏｒｔ  Ｃｏｎｔｒｏｌ  Ｐｒｏｔｏｃｏｌ）パケットを示すため、プロセッサ１４に転送される（Ｓ５）。プロセッサ１４及び第１〜３データ変換装置１１〜１３に転送されたパケットは、パケット内のデータに従って処理される。以上の要領でパケットのレイヤ４が解析される。
【００４３】
なお、レイヤ４スイッチ１６が受け入れるパケットは、例えば、ＩＰヘッダ（２０バイト以上）、ＵＤＰヘッダ（８バイト以上）、ＲＴＰヘッダ（１２バイト以上）、そして符号化データ（１０〜１６０バイト）からなる。符号化データは、ＩＴＵ−Ｔ規格の、例えばＧ．７１１準拠、Ｇ．７２３．１準拠、そしてＧ．７２９準拠に基づくデータからなる。
【００４４】
レイヤ４スイッチ１６は、パケットのレイヤ４の解析に特化された構成である。従って、レイヤ４スイッチ１６は、プロセッサ（図６：２１５）よりも高速にパケットを第１〜３データ変換装置１１〜１３及びプロセッサ１４に転送することができる。
【００４５】
図４は、本発明によるデータ変換装置の構成を示す。図に示されたデータ変換装置１１は、ダイヤルトーン検出器（ＤＴＭＦ  ＤＥＴ）２１と、周波数変調検出器（ＦＭＤ）２２と、エコーキャンセラー２３と、ファックス信号復調器２４と、符号復号化装置２５と、ＲＴＰ出力器２６と、揺らぎ処理器２７と、ＲＴＰ入力器２８と、ファックス信号変調器２９と、ダイヤルトーン発生器３０と、セレクタ３１を備える。符号復号化装置２５は、符号化器２５ａと復号化器２５ｂからなる。
【００４６】
ダイヤルトーン検出器２１は、多重化部１５から出力された音声データに含まれるダイヤルトーン信号を検出する。周波数変調検出器２２は、モデム信号（Ｇ３ファックス信号以外の信号）を検出する。周波数変調検出器２２は、検出したモデム信号をＲＴＰ出力器２６に転送する。周波数変調検出器２２は、音声信号、画像信号、そしてファックス信号（Ｇ３ファックス信号）をエコーキャンセラー２３に転送する。エコーキャンセラー２３は、入力信号のエコーを補正する。エコーキャンセラー２３は、例えばＧ．７１１準拠の信号（制御信号）をＲＴＰ出力器２６に転送する。エコーキャンセラー２３は、例えばＧ．７１１準拠以外の信号を符号化器２５ａに転送する。符号化器２５ａは、例えばＧ．７２３．１準拠又はＧ．７２９準拠の符号化を実行する。符号化器２５ａは、符号化された信号をＲＴＰ出力器２６に転送する。ＲＴＰ出力器２６は、入力信号に基づいてパケットを生成する。また、ＲＴＰ出力器２６は、生成したパケットをレイヤ４スイッチ１６に転送する。
【００４７】
揺らぎ処理器２７は、レイヤ４スイッチ１６から出力されたパケットのジッタ補正を実行する。揺らぎ処理器２７は、パケットをＲＴＰ入力器２８に転送する。
【００４８】
この揺らぎ処理器２７は、レイヤ４スイッチ１６の出力段に設けられても良い。その場合、デジタル信号処理部５に複数の揺らぎ処理器２７を設ける必要がなくなり、デジタル信号処理部５の回路規模を縮小することができる。
【００４９】
ＲＴＰ入力器２８は、パケットを音声データに変換する。ＲＴＰ入力器２８は、例えばＧ．７２３．１準拠又はＧ．７２９準拠の音声データを復号化器２５ｂに転送する。ＲＴＰ入力器２８は、ファックス信号をファックス信号変調器２９に転送する。ＲＴＰ入力器２８は、例えばＧ．７１１準拠の信号（制御信号）をセレクタ３１に転送する。ＲＴＰ入力器２８は、出力しているデータの種類に対応した選択信号Ｓもセレクタ３１に出力する。セレクタ３１は、選択信号Ｓを用いて、３系統の入力を選択し、多重化部１５に向けて出力する。
【００５０】
復号化器２５ｂは、例えばＧ．７２３．１準拠又はＧ．７２９準拠の音声データの復号化を実行する。復号化器２５ｂは、復号化された音声データをエコーキャンセラー２３に転送する。エコーキャンセラー２３は、音声データの補正を実行する。エコーキャンセラー２３は、音声データをセレクタ３１に向けて出力する。
【００５１】
ファックス信号変調器２９は、入力されたデータをファックス信号に変調する。ファックス信号変調器２９は、変調されたファックス信号をセレクタ３１に向けて出力する。
【００５２】
ダイヤルトーン発生器３０は、セレクタ３１から出力される音声データに、ダイヤルトーン信号を合成する。ダイヤルトーン信号が合成された音声データは、多重化部１５に転送される。
【００５３】
以上の説明の要領で、データ変換装置１１が動作する。
【００５４】
本発明に係るデータ変換装置が取り扱う符号化／復号化形式は、以上の実施例に限定されない。例えば画像データの符号化／復号化は、ＪＰＥＧ又はＭＰＥＧ２等、種々の符号化復号化形式を適用することができる。
【００５５】
【発明の効果】
以上説明の本発明の通信網接続装置は、レイヤ４の解析を実行し、解析結果に基づいて、パケットが適切なデータ変換装置に振り分けられる。複数のデータ変換装置では、データパケットに関する処理と制御パケットに関する処理が並行処理される。このため、レイヤの解析と制御パケットに係る処理を一つの処理ブロックで実行する事態が回避され、データパケットを処理するデータ変換装置にパケットを速やかに転送することができる。データ変換装置へのパケット転送の速度向上に伴ない、通信網接続装置のスループットが向上する。
【図面の簡単な説明】
【図１】図は、本発明による通信網接続装置の構成を示すブロック図である。
【図２】図は、本発明によるデジタル信号処理部の構成を示すブロック図である。
【図３】図は、本発明によるデジタル信号処理部の動作を示すフローチャートである。
【図４】図は、本発明によるデータ変換装置の構成を示すブロック図である。
【図５】図は、ＶｏＩＰネットワークの構成図である。
【図６】図は、従来の通信網接続装置の構成を示すブロック図である。
【符号の説明】
１：通信網接続装置
２：音声パケット処理部
３：回線インタフェース
４：ＩＰ網インタフェース
５〜７：第１〜３デジタル信号処理部
１１〜１３：第１〜３データ変換装置
１４：プロセッサ
１５：多重化部
１６：レイヤ４スイッチ
２１：ダイヤルトーン検出器
２２：周波数変調検出器
２３：エコーキャンセラー
２４：ファックス信号復調器
２５：符号化／復号化装置
２５ａ：符号化器
２５ｂ：復号化器
２６：ＲＴＰ出力器
２７：揺らぎ処理器
２８：ＲＴＰ入力器
２９：ファックス信号変調器
３０：ダイヤルトーン発生器
３１：セレクタ
【図１】
0003614082.tif 000002
【図２】
0003614082.tif 000003
【図３】
0003614082.tif 000004
【図４】
0003614082.tif 000005
【図５】
0003614082.tif 000006
【図６】
0003614082.tif 000007